(57)【要約】【課題】  省スペース化が実現できる記録装置の保持装置及びその保持装置を備えた記録装置を提供すること。【解決手段】  記録媒体を立てた状態で装置前面側にて供給・排出可能な記録装置に接続される電源回路１３が内蔵されている。そして、記録装置の両側を挟持する一対の挟持部１２ａ、１２ｂと、挟持部の間に配設され、記録装置の電源入力端子と接続する電源回路の接点部１６とを備え、記録装置を挟持部の間に差し込んだときに、記録装置の電源入力端子と電源回路の接点部とが接続されるようにする。これにより、記録装置を使用するときに保持装置に保持させておくことにより、電源回路と記録装置を一体的に設置することができるので、設置スペースの省スペース化を実現することができる。【選択図】      図１
2005288749.tif 000002
【特許請求の範囲】
【請求項１】
記録媒体を立てた状態で装置前面側にて供給・排出可能な記録装置を保持する保持装置であって、
前記記録装置に接続される電源回路が内蔵されていることを特徴とする保持装置。
【請求項２】
前記記録装置の両側を挟持する一対の挟持部と、前記挟持部の間に配設され、前記記録装置の電源入力端子と接続する前記電源回路の接点部とを備え、前記記録装置を前記挟持部の間に差し込んだときに、前記記録装置の電源入力端子と前記電源回路の接点部とが接続されることを特徴とする請求項１に記載の保持装置。
【請求項３】
前記電源回路に電力を供給する電線と、前記電線を巻き取る巻取手段とが、一方の前記挟持部に内蔵されていることを特徴とする請求項１または２に記載の保持装置。
【請求項４】
前記記録装置が保持されていないときに前記電源回路から当該記録装置の電源入力端子に電力を供給する電線と、前記電線を巻き取る巻取手段とが、他方の前記挟持部に内蔵されていることを特徴とする請求項１〜３の何れか一項に記載の保持装置。
【請求項５】
前記電源回路の接点部を保護する保護手段が、前記挟持部に取り付けられており、前記挟持部の間への前記記録装置の抜き差しに連動して開閉することを特徴とする請求項１〜４の何れか一項に記載の保持装置。
【請求項６】
記録媒体を立てた状態で装置前面側にて供給・排出可能な記録装置であって、
請求項１〜５の何れか一項に記載の保持装置を備えたことを特徴とする記録装置。
【発明の詳細な説明】
【技術分野】
【０００１】
本発明は、記録媒体を立てた状態で装置前面側にて供給・排出可能な記録装置を保持する保持装置及びこの保持装置を備えた記録装置に関する。
【背景技術】
【０００２】
プリンタ等の電子機器では、ＡＣアダプタを機器本体外に出すことで、機器本体の省スペース化を実現するものがある。しかし、電子機器を使用する場合はＡＣアダプタが必要であり、ＡＣアダプタの設置場所が問題となっている。そこで、ＡＣアダプタとＤＣ電源端子を備えたテーブルタップが提案されている。
【０００３】
【特許文献１】特開２００１−３０７８３５号公報
【発明の開示】
【発明が解決しようとする課題】
【０００４】
上述したＡＣアダプタとＤＣ電源端子を備えたテーブルタップでは、所定のプリンタ等の電子機器には対応するが、それ以外のプリンタ等の電子機器に対しては対応しないおそれがある。このため、プリンタ等の電子機器の種類毎に専用のＡＣアダプタとＤＣ電源端子を備えたテーブルタップを用意する必要があり、それらの収納スペースやコストが嵩むという問題がある。
【０００５】
本発明は、上記のような課題に鑑みなされたものであり、その目的は、省スペース化が実現できる記録装置の保持装置及びその保持装置を備えた記録装置を提供することにある。
【課題を解決するための手段】
【０００６】
上記目的達成のため、本発明の保持装置では、記録媒体を立てた状態で装置前面側にて供給・排出可能な記録装置を保持する保持装置であって、前記記録装置に接続される電源回路が内蔵されていることを特徴としている。これにより、記録装置を使用するときに保持装置に保持させておくことにより、電源回路と記録装置を一体的に設置することができるので、設置スペースの省スペース化を実現することができる。
【０００７】
また、前記記録装置の両側を挟持する一対の挟持部と、前記挟持部の間に配設され、前記記録装置の電源入力端子と接続する前記電源回路の接点部とを備え、前記記録装置を前記挟持部の間に差し込んだときに、前記記録装置の電源入力端子と前記電源回路の接点部とが接続されることを特徴としている。これにより、記録装置の電源入力端子と電源回路の接点部とを自動的に接続ことができるので、手間が掛からず使い勝手を向上させることができる。
【０００８】
また、前記電源回路に電力を供給する電線と、前記電線を巻き取る巻取手段とが、一方の前記挟持部に内蔵されていることを特徴としている。また、前記記録装置が保持されていないときに前記電源回路から当該記録装置の電源入力端子に電力を供給する電線と、前記電線を巻き取る巻取手段とが、他方の前記挟持部に内蔵されていることを特徴としている。これにより、配線が煩雑となることを解消することができる。
【０００９】
また、前記電源回路の接点部を保護する保護手段が、前記挟持部に取り付けられており、前記挟持部の間への前記記録装置の抜き差しに連動して開閉することを特徴としている。これにより、電源回路の接点部への埃等の侵入を自動的に防止することができので、接点不良等による故障をほぼ無くすことができる。上記目的達成のため、本発明の記録装置では、記録媒体を立てた状態で装置前面側にて供給・排出可能な記録装置であって、上記各保持装置を備えたことを特徴としている。これにより、上記各作用効果を奏する記録装置を提供することができる。
【発明を実施するための最良の形態】
【００１０】
図１は、本発明の実施の形態に係る記録装置の保持装置を正面から見た外観斜視図、図２は、その主要部の断面斜視図、図３（Ａ）、（Ｂ）は、背面から見た外観斜視図及び平面図、図４は、保持装置に記録装置を保持させた状態を示す斜視図である。この保持装置１０は、装置前面側から全ての操作を行うことが可能であり、用紙を立てた状態で給紙、記録、排紙が可能な記録装置をいわゆる縦置きの状態で保持する装置である。保持装置１０は、図１に示すように、机上等に載置される中空状の基台１１と、この基台１１の両脇に一体的に立設された一対の中空状の挟持部１２ａ、１２ｂを備えている。
【００１１】
基台１１の上面と一対の挟持部１２ａ、１２ｂの対向面とで成す空間は、縦置きされる記録装置がスムーズに挿抜可能であって確りと挟持可能な大きさに形成されている。すなわち、基台１１の上面は縦置きされる記録装置の底面とほぼ密接し、かつ一対の挟持部１２ａ、１２ｂの対向面は縦置きされる記録装置の両側面とほぼ密接するように形成されている。ユーザは、記録装置を安定させた状態で使用することができる。
【００１２】
この保持装置１０は、図２に示すように、記録装置に接続されるＡＣアダプタ（電源回路）１３が、基台１１に内蔵され、このＡＣアダプタ１３に電力を供給する電源コード（電線）１４を巻取・引出自在なコードリール（巻取手段）１５が、一方の挟持部１２ａに内蔵されている。重量のあるＡＣアダプタ１３が保持装置１０の底部に位置しているので、保持状態を安定させることができる。
【００１３】
コードリール１５は、コードリール用ぜんまい１５ａを備えており、電源コード１４を引き出した後に僅かに引っ張ることにより自動的に巻き取らせることができる。なお、手動で巻き取るようにしても良い。電源コード１４の先端には、家庭用電源に接続可能なプラグ１４ａが取り付けられている。このプラグ１４ａは、電源コード１４がコードリール１５に巻き取られたときに基台１１の後部に形成された収納部１１ａに収納されるようになっている。これにより、保持装置１０には余分な出っ張り部分が無くなるので、さらに省スペース化させることができる。
【００１４】
さらに、保持装置１０は、図３に示すように、記録装置のＤＣ電源入力端子と接続するＡＣアダプタ１３のＤＣ電源端子（接点部）１６が、基台１１の上面から突出するように配設されている。また、ＤＣ電源端子１６の傍には、記録装置を検知する検知ボタン１７が、同様に基台１１の上面から突出するように配設されている。ユーザは、記録装置を挟持部１２ａ、１２ｂ間で挿抜するのみで、記録装置のＤＣ電源入力端子とＡＣアダプタ１３のＤＣ電源端子１６とを接続・切り離しすることができる。
【００１５】
そして、ＤＣ電源端子１６及び検知ボタン１７に埃等が侵入しないように保護する保護手段１８が、他方の挟持部１２ｂの内側面に取り付けられている。この保護手段１８は、挟持部１２ｂの内側面に固定された軸１８ａに下向きで旋回自在に支持され、図示しない捩りコイルバネ等により旋回方向に付勢されたフラップ１８ｂを備えており、フラップ１８ｂの旋回によりＤＣ電源端子１６及び検知ボタン１７の上方が開閉可能なように配設されている。ユーザは、記録装置を挟持部１２ａ、１２ｂ間で挿抜するのみで、フラップ１８ｂを開閉することができる。なお、検知ボタン１７をフラップ１８ｂに設けるようにしても良い。
【００１６】
なお、記録装置を保持装置１０に保持せずに単独で机上等にいわゆる横置きした場合、記録装置のＤＣ電源入力端子に電力を供給する電源コード（電線）を巻取・引出自在なコードリール（巻取手段）を、他方の挟持部１２ｂに内蔵するようにしても良い。このコードリールも、コードリール用ぜんまいを備えており、電源コードを引き出した後に僅かに引っ張ることにより自動的に巻き取らせることができる。なお、手動で巻き取るようにしても良い。
【００１７】
電源コードの先端には、記録装置のＤＣ電源入力端子に接続可能なプラグが取り付けられている。このプラグは、電源コードがコードリールに巻き取れれたときに図２に示す基台１１の後部に形成された収納部１１ｂに収納されるようになっている。なお、上記検知ボタン１７の検知信号を利用してＤＣ電源端子１６とこのプラグ付き電源コードの使用を切り替えるようにしても良い。また、上記保持装置１０と、この保持装置１０と同一形状のダミーの保持装置を記録装置の両側に嵌め込み、横置きにして使用することも可能である。以上のような構成の保持装置１０に記録装置１９を保持させると、図４に示すようにコンパクトにすることができる。この保持装置１０に保持可能な記録装置の一例を図を参照して説明する。
【００１８】
図５は、記録装置の１つであるインクジェット式プリンタの構成例を斜め前方から見た斜視図である。このインクジェット式プリンタ１００は、扁平の直方体の形状をしており、装置前面側から全ての操作を行うことが可能であり、用紙を立てた状態で給紙、記録、排紙が可能なように構成されている。したがって、装置幅は狭小であるので設置の省スペース化が図れ、狭い机上であってもパーソナルコンピュータ等の脇に設置することが可能となっている。
【００１９】
このインクジェット式プリンタ１００の図７に示す用紙の搬送部１４０や記録部１５０等は、筐体１０１により覆われている。筐体１０１は、例えば金属板の板金加工により、あるいはプラスチックの射出成形により形成されている。筐体１０１の前面右側には給紙部１１０が配設され、筐体１０１の前面左側には排紙部１２０が配設され、それらの間には操作パネル１３０が配設されている。ユーザは、電源のオン・オフや記録設定、用紙の補充や取出等の作業を装置前面側から行うことができるので、作業効率を大幅に向上させることができる。
【００２０】
給紙部１１０は、図示矢印ａで示す副走査方向（用紙の搬送方向）に出し入れ可能な記録前の用紙を収納するトレイ１１１が配設されており、筐体１０１内に押し入れた状態にて用紙の供給が可能であり、また、筐体１０１に対して前方へ引き出された状態にて用紙の補充や交換が可能なように構成されている。このトレイ１１１は、例えばＡ４サイズの大きさの用紙より若干大きく作製されており、記録前の用紙を内部に配設されている用紙の幅方向の位置決め用部材及び長さ方向の位置決め用部材により所定位置に位置決めして立てた状態で積層収納するようになっている。この用紙としては、普通紙、専用紙、推奨ＯＨＰシート、光沢紙、光沢フィルム、ラベルシート、官製ハガキ等が利用できる。
【００２１】
排紙部１２０は、筐体１０１の内部に記録後の用紙を収納するスタッカ１２１が形成されており、筐体１０１の前面に形成されたスタッカ１２１に繋がる開口部１２２から用紙を取り出すことが可能なように構成されている。このスタッカ１２１は、例えばＡ４サイズの大きさの用紙より若干大きく形成されており、記録後の用紙を立てた状態で積層保持するようになっている。したがって、ユーザは、Ａ４サイズの大きさの用紙に記録したときは、開口部１２２から指を入れてその用紙を容易に摘み出すことができる。
【００２２】
操作パネル１３０には、電源ボタン１３１、リセットボタン１３２、排紙ボタン１３３等が配設されており、筐体１０１に内蔵されている制御部の専用コントローラボード等に電気配線接続されている。この操作パネル１３０の各ボタン１３１〜１３３等を操作することにより、インクジェット式プリンタ１００の起動・印刷・停止等を行うことができるようになっている。
【００２３】
図６は、図５のインクジェット式プリンタ１００の内部構成の概略を示す断面上面図である。筐体１０１内には、上述した給紙部１１０及び排紙部１２０と搬送部１４０と記録部１５０等が配設されている。搬送部１４０には、トレイ１１１内の用紙を給紙するためのホッパ１４１、給紙ローラ１４２、分離部材１４３等が配設されている。ホッパ１４１は、平板状に形成されており、一端が給紙ローラ１４２と分離部材１４３の近傍に位置し、他端が装着されているトレイ１１１の底面に近接して位置するように配設されている。そして、ホッパ１４１は、一端側の裏面に筐体１０１の底面に一端が取り付けられた圧縮バネ１４４の他端が取り付けられており、この圧縮バネ１４４の伸縮により他端側を中心に一端側が旋回するように配設されている。
【００２４】
給紙ローラ１４２は、断面の一部が切り欠かれたＤ字状に形成されており、間欠的に回転してホッパ１４１に押された用紙を摩擦搬送するようになっている。分離部材１４３は、上面が粗面に形成されており、給紙ローラ１４２により用紙が重送されたときに下層の用紙を最上層の用紙から摩擦分離するようになっている。ここで、ホッパ１４１に押される用紙と給紙ローラ１４２との関係について図７を参照して説明する。
【００２５】
図７は、ホッパ１４１に押された用紙と給紙ローラ１４２との接触状態を示す図である。図７（Ａ）は、最大枚数の用紙Ｐがある場合であり、この場合はホッパ１４１が旋回したとき、最上層の用紙Ｐ１が給紙ローラ１４２の切り欠き部分には接触せず、少なくとも円弧開始点１４２ａ以降の円周に接触するように調節されている。また、図７（Ｂ）は、最小枚数（１枚）の用紙Ｐ１がある場合であり、この場合はホッパ１４１が旋回したとき、その用紙Ｐ１が給紙ローラ１４２の円弧開始点１４２ａから少し回転した点１４２ｂに接触するように調節されている。この接触点１４２ｂは、接触点１４２ｂから円弧終了点１４２ｃまでの円周長さが、用紙Ｐ１の先端ｐｓからサブローラ１４５とその従動ローラ１４６ａとの接触点１４５ａまでの間隔と同一長ａとなるときの点である。以上のように調節することにより、ホッパ１４１に押される用紙Ｐが最大枚数以下であれば、最上層の用紙Ｐ１の先端ｐｓがサブローラ１４５とその従動ローラ１４６ａとの接触点１４５ａに届くまで、用紙Ｐ１は給紙ローラ１４２からレリースされないので、用紙Ｐ１をサブローラ１４５に確実に受け渡すことができ、給紙ミスを無くすことができる。
【００２６】
さらに、搬送部１４０には、用紙を搬送するためのサブローラ１４５とその従動ローラ１４６ａ、１４６ｂ、１４６ｃ、紙送りローラ１４７とその従動ローラ１４７ａ、排紙ローラ１４８とその従動ローラ１４８ａ、用紙を検知する検知センサ１４９ａ、１４９ｂ等が配設されている。サブローラ１４５は、トレイ１１１から給紙される用紙をスタッカ１２１に排紙するために、用紙を従動ローラ１４６ａ、１４６ｂ、１４６ｃとともに挟持してＵ字状に反転搬送させるようになっている。
【００２７】
紙送りローラ１４７は、反転搬送されてきた用紙を従動ローラ１４７ａとともに挟持してプラテン１５３へ送り出すようになっている。排紙ローラ１４８は、プラテン１５３を通過してくる用紙を従動ローラ１４８ａとともに挟持してスタッカ１２１へ排紙するようになっている。検知センサ１４９ａは、給紙されてくる用紙のスキュー取りの際の搬送量を検知するようになっている。検知センサ１４９ｂは、反転搬送されてくる用紙の頭出しの際の搬送量を検知するようになっている。
【００２８】
記録部１５０には、キャリッジ１５１、記録ヘッド１５２、プラテン１５３等が配設されている。キャリッジ１５１は、キャリッジベルト１５４に連結されており、キャリッジモータ１５５によってキャリッジベルト１５４が作動すると、キャリッジベルト１５４の動きに連行され、キャリッジガイド軸１５６に案内されて用紙上を搬送直交方向、すなわち垂直方向に往復移動するようになっている。さらに、キャリッジ１５１は、水平方向の用紙に向けてインク滴を吐出可能な記録ヘッド１５２が搭載されている。
【００２９】
記録ヘッド１５２は、例えばブラックのインク滴を吐出するブラックインク用記録ヘッドと、イエロー、シアン、ライトシアン、マゼンタ、ライトマゼンタの５色のインク滴をそれぞれ吐出するカラーインク用記録ヘッドとを備えている。そして、記録ヘッド１５２は、圧力発生室とそれに繋がるノズル開口が設けられており、圧力発生室内にインクを貯留して所定圧で加圧することにより、ノズル開口からプラテン１５３にある用紙に向けてコントロールされた大きさのインク滴を吐出するようになっている。プラテン１５３は、紙送りローラ１４７及び従動ローラ１４７ａから排紙ローラ１４８及び従動ローラ１４８ａに向かって搬送される用紙を支持して案内するようになっている。
【００３０】
このような構成において、インクジェット式プリンタ１００にて用紙に記録する場合の動作について図８及び図９を参照して説明する。トレイ１１１内に積層収納された用紙Ｐは、用紙束が給紙ローラ１４２の回転に機械的に同期した圧縮バネ１４４の復元によるホッパ１４１の旋回により給紙ローラ１４２に押付けられ、最上層の用紙Ｐのみが分離部材１４３により分離されてサブローラ１４５へ給紙される。
【００３１】
そして、図８（Ａ）に示すように、給紙される用紙Ｐがサブローラ１４５とその従動ローラ１４６ａとの接触点１４５ａに到達すると、用紙Ｐのスキュー取りが行われる。このスキュー取り方法は、用紙厚によって異なる方法が採られる。すなわち、普通紙以下の薄手の用紙の場合は、用紙の先端を少しだけサブローラ１４５とその従動ローラ１４６ａとの間に食い込ませ、その後にローラ１４５、１４６ａを逆転させて用紙を撓ませることにより、用紙の先端を揃えてスキュー取りする方法が採られる。
【００３２】
一方、普通紙より厚手の用紙の場合は、用紙の先端をサブローラ１４５とその従動ローラ１４６ａとの接触点１４５ａに突き当て、給紙ローラ１４２をスリップさせることで用紙の先端を揃えてスキュー取りする方法が採られる。なお、上記食い込み量及び突き当て量は、検知センサ１４９ａにより検知され、この検知量にしたがってスキュー取りが制御される。このように、用紙厚によってスキュー取り方法を異ならせるのは、薄手の用紙は腰が無いために、給紙ローラ１４２は用紙上でスリップせずに用紙を送り出してしまうおそれがあるからであり、厚手の用紙は薄手の用紙を貼り合わせた構造であるため、ローラ１４５、１４６ａを逆転させたときに剥離してしまうおそれがあるためである。
【００３３】
スキュー取りが完了した用紙Ｐは、図示しない紙送りモータにより駆動されているサブローラ１４５とその従動ローラ１４６ａ、１４６ｂ、１４６ｃに挟持されてＵ字経路で反転、すなわち装置前面側に搬送される。そして、図８（Ｂ）に示すように、用紙Ｐの先端が検知センサ１４９ｂの検知位置ＤＰに到達すると、用紙Ｐの記録開始位置決めである頭出しが行われる。すなわち、用紙Ｐの先端が、検知位置ＤＰから紙送りローラ１４７とその従動ローラ１４７ａの間を通って図９（Ａ）に示す頭出し位置ＨＰに到達するまで、検知センサ１４９ｂにより搬送量が検知され、この検知量にしたがって頭出しが制御される。なお、従来の頭出しはサブローラ１４５より上流側に配設されている検知センサ１４９ａにより行っていたが、この頭出しはサブローラ１４５より下流側に配設されている検知センサ１４９ｂにより行うので、検知量が少なくて済み、特に用紙厚による頭出し誤差を無くして頭出し精度を高めることができる。
【００３４】
その後、頭出しが完了した用紙Ｐは、図示しない紙送りモータにより駆動されている紙送りローラ１４７とその従動ローラ１４７ａに挟持されて記録部１５０へ搬送されることになる。したがって、サブローラ１４５とその従動ローラ１４６ａ、１４６ｂ、１４６ｃによる用紙Ｐの挟持は搬送精度を悪化させる原因になるので、図９（Ｂ）に示すように、各従動ローラ１４６ａ、１４６ｂ、１４６ｃはサブローラ１４５からレリースする。
【００３５】
搬送される用紙Ｐは、図示しない吸引ポンプによりプラテン１５３上に吸着されて平坦にされ、図示しないキャリッジモータ１５５とキャリッジベルト１５４により走査されるキャリッジ１５１に搭載された記録ヘッド１５２により記録される。このとき、インクジェット式プリンタ１００の制御部は、例えばイエロー、マゼンタ、ライトマゼンタ、シアン、ライトシアン、ブラックの計６色のインクカートリッジから記録ヘッド１５２へ各色インクを供給し、各色インクの吐出タイミング及びキャリッジ１５１や紙送りローラ１４７の駆動を制御して、高精度なインクドット制御、ハーフトーン処理等を実行する。そして、記録が完了した用紙Ｐは、図示しない紙送りモータにより駆動されている排紙ローラ１４８と従動ローラ１４８ａとに挟持されてスタッカ１２１へ排紙されて積層保持される。
【００３６】
上述した保持装置１０によれば、用紙を立てた状態で装置前面側にて給紙・排紙可能な記録装置に接続されるＡＣアダプタ１３が内蔵されているので、記録装置を使用するときに保持装置１０に保持させておくことにより、ＡＣアダプタ１３と記録装置を一体的に設置することができ、設置スペースの省スペース化を実現することができる。また、記録装置を１２ａ、１２ｂ挟持部の間に差し込んだときに、記録装置のＤＣ電源入力端子とＡＣアダプタ１３のＤＣ電源端子１６とが接続されるので、記録装置のＤＣ電源入力端子とＡＣアダプタ１３のＤＣ電源端子１６とを自動的に接続ことができ、手間が掛からず使い勝手を向上させることができる。
【００３７】
また、ＡＣアダプタ１３に電力を供給する電源コード１４と、電源コード１４を巻き取るコードリール１５とが、一方の挟持部１２ａに内蔵されているので、配線が煩雑となることを解消することができる。また、ＡＣアダプタ１３のＤＣ電源端子１６を保護する保護手段１８が、挟持部１２ｂに取り付けられており、挟持部１２ａ、１２ｂの間への記録装置の抜き差しに連動して開閉するので、ＡＣアダプタ１３のＤＣ電源端子１６への埃等の侵入を自動的に防止することができ、接点不良等による故障をほぼ無くすことができる。
【産業上の利用可能性】
【００３８】
縦置き可能な記録装置であれば、例えばファクシミリ装置やコピー装置等の記録装置にも適用可能である。
【図面の簡単な説明】
【００３９】
【図１】本発明の実施の形態に係る記録装置の保持装置を正面から見た外観斜視図である。
【図２】図１の保持装置の主要部の断面斜視図である。
【図３】図１の保持装置を背面から見た外観斜視図及び平面図である。
【図４】図１の保持装置に記録装置を保持させた状態を示す斜視図である。
【図５】本発明の実施の形態に係る記録装置の１つであるインクジェット式プリンタの外観構成を前面側から見たときの斜視図である。
【図６】図５のインクジェット式プリンタの内部構成の概略を示す断面上面図である。
【図７】図６のホッパに押された用紙と給紙ローラとの接触状態を示す図である。
【図８】図５のインクジェット式プリンタの動作を示す第１の図である。
【図９】図５のインクジェット式プリンタの動作を示す第２の図である。
【符号の説明】
【００４０】
１０  保持装置、１１  基台、１２ａ、１２ｂ  挟持部、１３  ＡＣアダプタ、１４  電源コード、１５  コードリール、１５ａ  コードリール用ぜんまい、１６  ＤＣ電源端子、１７  検知ボタン、１８  保護手段、１００  インクジェット式プリンタ、１０１  筐体、１１０  給紙部、１１１  トレイ、１２０  排紙部、１２１  スタッカ、１２１ａ、１２１ｂ  用紙面保持部、１２２  開口部、１２３  切り欠き部、１２４  開口部、１２５  ガイド部材、１３０  操作部、１４０  搬送部、１４１  ホッパ、１４２  給紙ローラ、１４３  分離部材、１４４  圧縮バネ、１４５  サブローラ、１４７  紙送りローラ、１４８  排紙ローラ、１５０  記録部、１５１  キャリッジ、１５２  記録ヘッド、１５３  プラテン、１５４  キャリッジベルト、１５５  キャリッジモータ、１５６  キャリッジガイド軸
【図１】
2005288749.tif 000003
【図２】
2005288749.tif 000004
【図３】
2005288749.tif 000005
【図４】
2005288749.tif 000006
【図５】
2005288749.tif 000007
【図６】
2005288749.tif 000008
【図７】
2005288749.tif 000009
【図８】
2005288749.tif 000010
【図９】
2005288749.tif 000011